(57)【要約】【課題】突発的なノイズでも検出できるノイズ検出装置及びノイズ検出方法を提供する。【解決手段】ノイズ検出装置１０は、電源電圧Ｖｃｃを分圧する第１分圧回路１１の分圧点ＰＰ１の電位である第１電位Ｖｉｎ−と、電源電圧Ｖｃｃを分圧する第２分圧回路１３の分圧点ＰＰ２の電位である第２電位Ｖｉｎ＋とを比較するコンパレータ１６の出力に基づいて、電源電圧Ｖｃｃに電圧値が所定値以上のノイズが重畳されたか否かを判定する判定部１８を備え、第１分圧回路１１の分圧比及び第２分圧回路１３の分圧比は、電源電圧Ｖｃｃにノイズが重畳されていないときと重畳されているときとの間でコンパレータ１６の出力が反転するように設定される。【選択図】図１
2020053810.tif 000002
【特許請求の範囲】
【請求項１】
電源電圧を分圧する第１分圧回路と、
前記電源電圧を分圧する第２分圧回路と、
前記第１分圧回路の分圧点の電位である第１電位と、前記第２分圧回路の分圧点の電位である第２電位とを比較するコンパレータと、
前記コンパレータの出力に基づいて、前記電源電圧に電圧値が所定値以上のノイズが重畳されたか否かを判定する判定部と、
を備え、
前記第１分圧回路の分圧比及び前記第２分圧回路の分圧比は、前記電源電圧に前記ノイズが重畳されていないときと重畳されているときとの間で前記コンパレータの出力が反転するように設定される、ノイズ検出装置。
【請求項２】
請求項１項に記載のノイズ検出装置であって、
前記第１電位と前記第２電位との電位差は、第１所定値以下である、ノイズ検出装置。
【請求項３】
請求項１又は２に記載のノイズ検出装置であって、
前記第１分圧回路は、直列に接続された第１抵抗及び第２抵抗を有し、前記第１抵抗の一端が接地され、且つ、前記第２抵抗の一端が電源に接続された第１直列接続体を含み、
前記第２分圧回路は、直列に接続された第３抵抗及び第４抵抗を有し、前記第３抵抗の一端が接地され、且つ、前記第４抵抗の一端が前記電源に接続された第２直列接続体を含む、ノイズ検出装置。
【請求項４】
請求項３に記載のノイズ検出装置であって、
前記電源電圧に前記ノイズが重畳されていないときに前記第１電位が前記第２電位より高くなるように前記第１抵抗、前記第２抵抗、前記第３抵抗及び前記第４抵抗の抵抗値が設定され、
前記第３抵抗の抵抗値は、前記第１抵抗の抵抗値より大きく設定される、ノイズ検出装置。
【請求項５】
請求項３に記載のノイズ検出装置であって、
前記電源電圧に前記ノイズが重畳されていないときに前記第１電位が前記第２電位より低くなるように前記第１抵抗、前記第２抵抗、前記第３抵抗及び前記第４抵抗の抵抗値が設定され、
前記第３抵抗の抵抗値は、前記第１抵抗の抵抗値より小さく設定される、ノイズ検出装置。
【請求項６】
請求項４又は５に記載のノイズ検出装置であって、
前記第１抵抗の抵抗値及び前記第３抵抗の抵抗値のうち小さい方に対する大きい方の比率は、第２所定値以上である、ノイズ検出装置。
【請求項７】
請求項３〜６のいずれか１項に記載のノイズ検出装置であって、
前記第１抵抗、前記第２抵抗、前記第３抵抗及び前記第４抵抗の少なくとも１つは、可変抵抗であり、
前記可変抵抗の抵抗値を変更する抵抗値変更部を更に備える、ノイズ検出装置。
【請求項８】
請求項７に記載のノイズ検出装置であって、
前記第１抵抗及び前記第３抵抗の少なくとも一方は、可変抵抗であり、
前記第１抵抗及び第３抵抗の抵抗比毎の前記ノイズの電圧値がテーブルとして保存された記憶部と、
前記判定部で前記電源電圧に前記ノイズが重畳されたと判定されたときの前記抵抗比と、前記テーブルとから、該ノイズの電圧値を取得する取得部と、
を更に備える、ノイズ検出装置。
【請求項９】
電源電圧を分圧する第１分圧回路の分圧点の電位である第１電位と、前記電源電圧を分圧する第２分圧回路の分圧点の電位である第２電位とを比較する第１比較ステップと、
前記第１比較ステップでの比較結果に基づいて、前記電源電圧に電圧値が所定値以上のノイズが重畳されたか否かを判定する第１判定ステップと、
を含み、
前記第１分圧回路の分圧比及び前記第２分圧回路の分圧比は、前記電源電圧に前記ノイズが重畳されていないときと重畳されているときとの間で前記第１比較ステップでの比較結果の出力が反転するように設定される、ノイズ検出方法。
【請求項１０】
請求項９に記載のノイズ検出方法であって、
前記第１電位と前記第２電位との電位差は、第１所定値以下である、ノイズ検出方法。
【請求項１１】
請求項９又は１０に記載のノイズ検出方法であって、
前記第１分圧回路は、直列に接続された第１抵抗及び第２抵抗を有し、前記第１抵抗の一端が接地され、且つ、前記第２抵抗の一端が電源に接続された第１直列接続体を含み、
前記第２分圧回路は、直列に接続された第３抵抗及び第４抵抗を有し、前記第３抵抗の一端が接地され、且つ、前記第４抵抗の一端が前記電源に接続された第２直列接続体を含み、
前記電源電圧に前記ノイズが重畳されていないときに前記第１電位が前記第２電位より高くなるように前記第１抵抗、前記第２抵抗、前記第３抵抗及び前記第４抵抗の抵抗値が設定され、
前記第３抵抗の抵抗値は、前記第１抵抗の抵抗値より大きく設定される、ノイズ検出方法。
【請求項１２】
請求項１１に記載のノイズ検出方法であって、
前記第１抵抗の抵抗値に対する前記第３抵抗の抵抗値の比率は、第２所定値以上である、ノイズ検出方法。
【請求項１３】
請求項１１又は１２に記載のノイズ検出方法であって、
前記第１抵抗及び前記第３抵抗の少なくとも一方は、可変抵抗であり、
前記第１判定ステップで前記電源電圧に前記ノイズが重畳されたと判定されたときの前記第１抵抗及び前記第３抵抗の抵抗比と、前記第１抵抗及び第３抵抗の抵抗比毎の前記ノイズの電圧値を表すテーブルとから、前記ノイズの電圧値を取得する取得ステップを更に含む、ノイズ検出方法。
【請求項１４】
請求項１１又は１２に記載のノイズ検出方法であって、
前記第１抵抗及び前記第３抵抗の少なくとも一方は、可変抵抗であり、
前記第１判定ステップで前記電源電圧に前記ノイズが重畳されていないと判定されたときに、前記可変抵抗の抵抗値を変更して前記所定値を変更する抵抗値変更ステップと、
前記抵抗値変更ステップの後に、前記第１電位と前記第２電位とを比較する第２比較ステップと、
前記第２比較ステップでの比較結果に基づいて、前記電源電圧に変更後の前記所定値以上の電圧値のノイズが重畳されたか否かを判定する第２判定ステップと、
を更に含む、ノイズ検出方法。
【請求項１５】
請求項１４に記載のノイズ検出方法であって、
前記抵抗値変更ステップでは、前記第１抵抗の抵抗値に対する前記第３抵抗の抵抗値の比が大きくなるように前記可変抵抗の抵抗値を変更する、ノイズ検出方法。
【発明の詳細な説明】
【技術分野】
【０００１】
本発明は、重畳されたノイズを検出するノイズ検出装置及びノイズ検出方法に関する。
【背景技術】
【０００２】
特許文献１には、所定のインピーダンスを有する抵抗素子と周波数に応じてインピーダンスが変化するインピーダンス素子とが配線間において直列接続されてなるノイズ検出部と、該ノイズ検出部が接続された配線を通る信号にノイズが重畳しているか否かを判定するノイズ判定部と、を備える電子回路装置が開示されている。
【先行技術文献】
【特許文献】
【０００３】
【特許文献１】特開２０１４−１３５６１０号公報
【発明の概要】
【発明が解決しようとする課題】
【０００４】
特許文献１に記載の電子回路装置では、周波数が所定の周波数範囲にあるノイズが信号に重畳されたときにインピーダンス素子のインピーダンスが変化するため、該ノイズを検出することができる。このため、周波数が上記周波数範囲外となるような突発的なノイズを検出できない問題があった。
【０００５】
そこで、本発明は、突発的なノイズでも検出できるノイズ検出装置及びノイズ検出方法を提供することを目的とする。
【課題を解決するための手段】
【０００６】
本発明の第１の態様は、電源電圧を分圧する第１分圧回路と、前記電源電圧を分圧する第２分圧回路と、前記第１分圧回路の分圧点の電位である第１電位と、前記第２分圧回路の分圧点の電位である第２電位とを比較するコンパレータと、前記コンパレータの出力に基づいて、前記電源電圧に電圧値が所定値以上のノイズが重畳されたか否かを判定する判定部と、を備え、前記第１分圧回路の分圧比及び前記第２分圧回路の分圧比は、前記電源電圧に前記ノイズが重畳されていないときと重畳されているときとの間で前記コンパレータの出力が反転するように設定される、ノイズ検出装置である。
【０００７】
本発明の第２の態様は、電源電圧を分圧する第１分圧回路の分圧点の電位である第１電位と、前記電源電圧を分圧する第２分圧回路の分圧点の電位である第２電位とを比較する第１比較ステップと、前記第１比較ステップでの比較結果に基づいて、前記電源電圧に電圧値が所定値以上のノイズが重畳されたか否かを判定する第１判定ステップと、を含み、前記第１分圧回路の分圧比及び前記第２分圧回路の分圧比は、前記電源電圧に前記ノイズが重畳されていないときと重畳されているときとの間で前記第１比較ステップでの比較結果の出力が反転するように設定される、ノイズ検出方法である。
【発明の効果】
【０００８】
本発明によれば、突発的なノイズでも検出できる。
【図面の簡単な説明】
【０００９】
【図１】本発明の実施の形態に係るノイズ検出装置の構成を示す図である。
【図２】ＡＤコンバータでは突発的に入力される外来ノイズを検出できないことを説明するための図である。
【図３】図３Ａ〜図３Ｃは、ノイズ検出装置によるノイズ検出の原理を説明するための図である。
【図４】ノイズ検出装置の動作例１を示すフローチャートである。
【図５】変形例３のノイズ検出装置の構成を示す図である。
【図６】ノイズレベル／抵抗比テーブルの構成例を示す図である。
【図７】変形例３のノイズ検出装置の動作を示すフローチャートである。
【図８】変形例４のノイズ検出装置の構成を示す図である。
【図９】図９Ａ及び図９Ｂは、変形例４のノイズ検出装置によるノイズ検出の原理を説明するための図である。
【発明を実施するための形態】
【００１０】
本発明に係るノイズ検出装置及びノイズ検出方法について、好適な実施の形態を掲げ、添付の図面を参照しながら以下、詳細に説明する。
【００１１】
〔実施の形態〕
（全体構成）
図１は、ノイズ検出装置１０の構成の一例を示す図である。ノイズ検出装置１０は、電気回路の電源２６の電源電圧Ｖｃｃに重畳されたノイズを検出する。このノイズは、該電気回路の誤動作の要因となるため、検出する必要性が極めて高い。上記電気回路としては、例えばエンコーダ等の電気機器の信号処理回路が挙げられる。
【００１２】
ところで、電気回路の電源２６を用いて生成された電圧信号に重畳するノイズをＡＤコンバータにより検出する場合、恒常的に一定量重畳するホワイトノイズであれば検出が可能である（図２参照）。しかし、ＡＤコンバータでは、その動作タイミングから外れたタイミングで突発的に電圧信号に重畳されるノイズ（例えば外来ノイズ）を検出することはできない（図２参照）。
【００１３】
そこで、発明者は、このようなＡＤコンバータでは検出することができないノイズ（例えば外来ノイズ）をも検出可能なノイズ検出装置１０を開発した。
【００１４】
ノイズ検出装置１０は、図１に示されるように、第１分圧回路１１、第２分圧回路１３、コンパレータ１６、ノイズ重畳有無判定部（判定部）１８、通知部１９及び抵抗値変更部２０を備える。
【００１５】
第１分圧回路１１は、電源電圧Ｖｃｃを分圧する回路であり、第１直列接続体１２を含む。
【００１６】
第２分圧回路１３は、電源電圧Ｖｃｃを分圧する回路であり、第２直列接続体１４を含む。
【００１７】
第１直列接続体１２は、直列に接続された第１抵抗２２及び第２抵抗２４を含む。第１抵抗２２の一端は、グラウンドに接続され（接地され）ている。第２抵抗２４の一端は、電源２６に接続されている。第１直列接続体１２では、第１抵抗２２の他端と第２抵抗２４の他端とが接続されている。第１直列接続体１２における第１抵抗２２の他端と前記第２抵抗２４の他端との間の任意の点が第１分圧回路１１の分圧点（以下では「第１分圧点ＰＰ１」とも呼ぶ）である。
【００１８】
第２直列接続体１４は、直列に接続された第３抵抗２８及び第４抵抗３０を含む。第３抵抗２８の一端は、グラウンドに接続され（接地され）ている。第４抵抗３０の一端は、電源２６に接続されている。第２直列接続体１４では、第３抵抗２８の他端と第４抵抗３０の他端とが接続されている。第２直列接続体１４における第３抵抗２８の他端と前記第４抵抗３０の他端との間の任意の点が第２分圧回路１３の分圧点（以下では「第２分圧点ＰＰ２」とも呼ぶ）である。
【００１９】
ここでは、第１抵抗２２及び第３抵抗２８は、いずれも電子可変抵抗（可変抵抗）である。第２抵抗２４及び第４抵抗３０は、いずれも固定抵抗である。電子可変抵抗は「電子ボリューム」とも呼ばれる。
【００２０】
コンパレータ１６の第１入力端子ＩＴ１（ここでは−入力端子）は、第１分圧点ＰＰ１に接続されている。コンパレータ１６の第２入力端子ＩＴ２（ここでは＋入力端子）は、第２分圧点ＰＰ２に接続されている。コンパレータ１６は、第１分圧点ＰＰ１の電位（第１入力端子ＩＴ１の電位）である第１電位Ｖｉｎ−と、第２分圧点ＰＰ２の電位（第２入力端子ＩＴ２の電位）である第２電位Ｖｉｎ＋とを比較し、その比較結果である二値信号（ハイレベル信号又はローレベル信号）をノイズ重畳有無判定部１８に送る。
【００２１】
電源２６がオフのときは、第１分圧点ＰＰ１及び第２分圧点ＰＰ２の電位は０である。
【００２２】
電源２６がオンになると、第１直列接続体１２の両端に電源電圧Ｖｃｃが印加され、第１抵抗２２及び第２抵抗２４に電流が流れる。このとき、第１分圧点ＰＰ１の電位、すなわち第１入力端子ＩＴ１の電位は、第１抵抗２２の他端の電位及び第２抵抗２４の他端の電位に等しい。
【００２３】
電源２６がオンになると、第２直列接続体１４の両端に電源電圧Ｖｃｃが印加され、第３抵抗２８及び第４抵抗３０に電流が流れる。このとき、第２分圧点ＰＰ２の電位、すなわち第２入力端子ＩＴ２の電位は、第３抵抗２８の他端の電位及び第４抵抗３０の他端の電位に等しい。
【００２４】
ここで、第１分圧回路１１の分圧比（第１抵抗２２の抵抗値Ｒ１と第２抵抗２４の抵抗値Ｒ２の比）、及び、第２分圧回路１３の分圧比（第３抵抗２８の抵抗値Ｒ３と第４抵抗３０の抵抗値Ｒ４の比）は、電源電圧Ｖｃｃに電圧値が所定値以上のノイズ（以下では「検出対象ノイズ」とも呼ぶ）が重畳されていないときと重畳されているときとの間でコンパレータ１６の出力が反転するように設定される。検出対象ノイズの電圧値の下限値である上記所定値は、第１抵抗２２の抵抗値Ｒ１と第３抵抗２８の抵抗値Ｒ３の比である抵抗比Ｒｒ（Ｒ１／Ｒ３）で決まる。このため、抵抗比Ｒｒを変更することにより、検出対象ノイズの電圧値の下限値である上記所定値を変えることができる。
【００２５】
ノイズ重畳有無判定部１８は、コンパレータ１６の出力に基づいて、電源電圧Ｖｃｃに検出対象ノイズが重畳されたか否かを判定する。具体的には、ノイズ重畳有無判定部１８は、コンパレータ１６の出力が反転したときに電源電圧Ｖｃｃに検出対象ノイズが重畳されたと判定し、その判定結果を通知部１９に出力する。
【００２６】
通知部１９は、ノイズ重畳有無判定部１８から、電源電圧Ｖｃｃに検出対象ノイズが重畳されたことを示す判定結果が入力されたときに、該判定結果を上記電気機器のオペレータに通知する。具体的には、通知部１９は、電源電圧Ｖｃｃに検出対象ノイズが重畳されたことを、例えば不図示のディスプレイ、ランプ等を用いて視覚情報として、又は例えば不図示のスピーカ等を用いて聴覚情報としてオペレータに通知する。オペレータは、この通知を受けて、電源電圧Ｖｃｃに検出対象ノイズが重畳されるのを抑制する措置をとることができる。
【００２７】
抵抗値変更部２０は、第１抵抗２２及び第３抵抗２８の少なくとも一方の抵抗値を変更する。具体的には、抵抗値変更部２０は、第１抵抗２２及び第３抵抗２８の抵抗値の比が変わるように第１抵抗２２及び第３抵抗２８の少なくとも一方の抵抗値を変更する。
【００２８】
ノイズ重畳有無判定部１８及び抵抗値変更部２０は、例えばＣＰＵ（Ｃｅｎｔｒａｌ  Ｐｒｏｃｅｓｓｉｎｇ  Ｕｎｉｔ）、ＦＰＧＡ（Ｆｉｅｌｄ  Ｐｒｏｇｒａｍｍａｂｌｅ  ｇａｔｅ  ａｒｒａｙ）等によって、実現される。
【００２９】
（ノイズ検出の原理）
以下にノイズ検出装置１０によるノイズ検出の原理について図３Ａ〜図３Ｃを参照して説明する。
【００３０】
ここで、電源電圧Ｖｃｃにノイズが重畳されたとき、第１入力端子ＩＴ１の電位である第１電位Ｖｉｎ−に対するノイズの重畳量は第１抵抗２２の抵抗値Ｒ１に依存し、第２入力端子ＩＴ２の電位である第２電位Ｖｉｎ＋に対するノイズの重畳量は第３抵抗２８の抵抗値Ｒ３に依存する。詳述すると、第１電位Ｖｉｎ−に重畳されるノイズの重畳量は、第１抵抗２２の抵抗値Ｒ１が大きいほど大きくなる。第２電位Ｖｉｎ＋に重畳されるノイズの重畳量は、第３抵抗２８の抵抗値Ｒ３が大きいほど大きくなる。
【００３１】
（比較例１）
図３Ａは、ノイズ検出装置１０が検出対象ノイズを検出できない例（比較例１）を説明するための図である。比較例１では、ノイズ検出装置１０は、電源２６の電源電圧Ｖｃｃが５Ｖ、第１抵抗２２の抵抗値Ｒ１が１ｋΩ、第２抵抗２４の抵抗値Ｒ２が１００ｋΩ、第３抵抗２８の抵抗値Ｒ３が９ｋΩ、第４抵抗３０の抵抗値Ｒ４が１０ｋΩに設定されている。比較例１では、図３Ａに示されるように、検出対象ノイズが重畳されていないときは、第１電位Ｖｉｎ−は０．０５Ｖ、第２電位Ｖｉｎ＋は２．３７Ｖ（＞Ｖｉｎ−）となる。このとき、コンパレータ１６の出力は、基本的にハイレベルとなる。ノイズ検出装置１０では、第１電位Ｖｉｎ−に対するノイズの重畳量（抵抗値Ｒ１に依存）は、第２電位Ｖｉｎ＋に対するノイズの重畳量（抵抗値Ｒ３に依存）に比べて格段に小さく、且つ、第２電位Ｖｉｎ＋は第１電位Ｖｉｎ−に比べて格段に大きい（ここでは２．３２Ｖ）。このため、ノイズ検出装置１０では、比較例１において、電源電圧Ｖｃｃに検出対象ノイズが重畳されたときでも、第１電位Ｖｉｎ−と第２電位Ｖｉｎ＋の逆転は起こらず、コンパレータ１６の出力は、ハイレベルのままとなる（反転しない）。つまり、比較例１では、ノイズ検出装置１０は、電源電圧Ｖｃｃに検出対象ノイズが重畳されても、該検出対象ノイズを検出することができない。
【００３２】
（比較例２）
図３Ｂは、ノイズ検出装置１０が検出対象ノイズを検出できない例（比較例２）を説明するための図である。比較例２では、ノイズ検出装置１０は、電源２６の電源電圧Ｖｃｃが５Ｖ、第１抵抗２２の抵抗値Ｒ１が５ｋΩ、第２抵抗２４の抵抗値Ｒ２が１００ｋΩ、第３抵抗２８の抵抗値Ｒ３が５ｋΩ、第４抵抗３０の抵抗値Ｒ４が１０ｋΩに設定されている。比較例２では、図３Ｂに示されるように、検出対象ノイズが重畳されていないときは、第１電位Ｖｉｎ−は０．２４Ｖ、第２電位Ｖｉｎ＋は１．６７Ｖ（＞Ｖｉｎ−）となる。このとき、コンパレータ１６の出力は、基本的にハイレベルとなる。ノイズ検出装置１０では、第２電位Ｖｉｎ＋に対するノイズの重畳量（抵抗値Ｒ３に依存）と第１電位Ｖｉｎ−に対するノイズの重畳量（抵抗値Ｒ１に依存）は略同一であるが、第２電位Ｖｉｎ＋は第１電位Ｖｉｎ−に比べて十分に大きい（ここでは１．４３Ｖ）。このため、ノイズ検出装置１０では、比較例２において、電源電圧Ｖｃｃに検出対象ノイズが重畳されたときでも、第１電位Ｖｉｎ−と第２電位Ｖｉｎ＋の逆転は起こらず、コンパレータ１６の出力はハイレベルのままとなる（反転しない）。つまり、比較例２では、ノイズ検出装置１０は、電源電圧Ｖｃｃに検出対象ノイズが重畳されても、該検出対象ノイズを検出することができない。
【００３３】
（実施例）
図３Ｃは、ノイズ検出装置１０が検出対象ノイズを検出できる例（実施例）を説明するための図である。実施例では、ノイズ検出装置１０は、電源２６の電源電圧Ｖｃｃが５Ｖ、第１抵抗２２の抵抗値Ｒ１が９ｋΩ、第２抵抗２４の抵抗値Ｒ２が１００ｋΩ、第３抵抗２８の抵抗値Ｒ３が１ｋΩ、第４抵抗３０の抵抗値Ｒ４が１０ｋΩに設定されている。実施例では、図３Ｃに示されるように、検出対象ノイズが重畳されていないときは、第１電位Ｖｉｎ−は０．４１Ｖ、第２電位Ｖｉｎ＋は０．４５Ｖ（＞Ｖｉｎ−）となる。このとき、コンパレータ１６の出力は、基本的にハイレベルとなる。ノイズ検出装置１０では、第２電位Ｖｉｎ＋が第１電位Ｖｉｎ−に比べて僅かに大きい（ここでは０．０４Ｖ（第１所定値））が、第１電位Ｖｉｎ−に対するノイズの重畳量（抵抗値Ｒ１に依存）が第２電位Ｖｉｎ＋に対するノイズの重畳量（抵抗値Ｒ３に依存）に比べて格段に大きい（Ｒ１／Ｒ３＝９（第２所定値））。このため、ノイズ検出装置１０では、実施例において、検出対象ノイズが重畳されたときに、第１電位Ｖｉｎ−と第２電位Ｖｉｎ＋の逆転が起き、逆転している間、コンパレータ１６の出力はローレベルとなる（反転する）。つまり、実施例では、ノイズ検出装置１０は、電源電圧Ｖｃｃに検出対象ノイズが重畳されたときに、該検出対象ノイズを検出することができる。実施例では、第１分圧回路１１の分圧比（第１抵抗２２の抵抗値Ｒ１と第２抵抗２４の抵抗値Ｒ２の比）は、９：１００である。実施例では、第２分圧回路１３の分圧比（第３抵抗２８の抵抗値Ｒ３と第４抵抗３０の抵抗値Ｒ４の比）は、１：１０である。
【００３４】
以上の説明から分かるように、ノイズ検出装置１０は、検出対象ノイズが重畳されていないときに、第１電位Ｖｉｎ−＜第２電位Ｖｉｎ＋であって、Ｒ１＞Ｒ３のときに、検出対象ノイズが重畳されたことを検出可能である。そして、ノイズ検出装置１０では、第１電位Ｖｉｎ−＜第２電位Ｖｉｎ＋の場合に、第１電位Ｖｉｎ−と第２電位Ｖｉｎ＋の電位差が小さいほど、Ｒ１がＲ３よりも大きいほど、第１電位Ｖｉｎ−と第２電位Ｖｉｎ＋の逆転が起こりやすく、ノイズの検出漏れを抑制でき、且つ、小さいノイズでも検出しやすくなる。
【００３５】
そこで、ノイズ検出装置１０では、電源電圧Ｖｃｃに検出対象ノイズが重畳されていないときに第２電位Ｖｉｎ＋が第１電位Ｖｉｎ−より高くなるように第１抵抗２２、第２抵抗２４、第３抵抗２８及び第４抵抗３０の抵抗値が設定され、第１抵抗２２の抵抗値Ｒ１は、第３抵抗２８の抵抗値Ｒ３より大きく設定される。
【００３６】
また、ノイズ検出装置１０では、第３抵抗２８の抵抗値Ｒ３に対する第１抵抗２２の抵抗値Ｒ１の比である抵抗比Ｒｒ（Ｒ１／Ｒ３）は、第２所定値（例えば９）以上に設定される。
【００３７】
また、ノイズ検出装置１０では、第１電位Ｖｉｎ−と第２電位Ｖｉｎ＋との電位差は、第１所定値（例えば０．０４Ｖ）以下に設定される。
【００３８】
なお、実施例では、第１抵抗２２の抵抗値Ｒ１より第２抵抗２４の抵抗値Ｒ２が格段に大きく、且つ、第３抵抗２８の抵抗値Ｒ３より第４抵抗３０の抵抗値Ｒ４が格段に大きい。すなわち、第１電位Ｖｉｎ−は実質的に抵抗値Ｒ２で決まり、第２電位Ｖｉｎ＋は実質的に抵抗値Ｒ４で決まる。そこで、第１電位Ｖｉｎ−＜第２電位Ｖｉｎ＋とするために、Ｒ２＞Ｒ４とすることが好ましい。
【００３９】
一方、実施例では、第１電位Ｖｉｎ−に対するノイズの重畳量は、実質的に抵抗値Ｒ１で決まり、第２電位Ｖｉｎ＋に対するノイズの重畳量は、実質的に抵抗値Ｒ３で決まる。そこで、Ｒ１＞Ｒ３とすることにより、電源電圧Ｖｃｃに検出対象ノイズが重畳されているときと重畳されていないときとの間でコンパレータ１６の出力を反転させることができる。
【００４０】
（動作例１）
以下に、ノイズ検出装置１０の動作例１を、図４を参照して説明する。ここでは、ノイズ検出装置１０が、第１電位Ｖｉｎ−＜第２電位Ｖｉｎ＋（コンパレータ１６の出力が基本的にハイレベル）、且つ、Ｒ１＞Ｒ３に設定される場合を例にとって説明する。抵抗値Ｒ１〜Ｒ４は、実施例と同じ値に設定されている。ノイズ検出装置１０の動作例１は、電源２６がオンになったときに開始される。電源２６のオン／オフは、上記電気機器のオペレータによるスイッチ操作で行われる。
【００４１】
最初のステップＳ１では、コンパレータ１６は、第１分圧点ＰＰ１の電位（第１電位Ｖｉｎ−）と第２分圧点ＰＰ２（第２電位Ｖｉｎ＋）の電位とを比較し、その比較結果としての二値化信号（ハイレベル信号又はローレベル信号）をノイズ重畳有無判定部１８に出力する。
【００４２】
次のステップＳ２では、ノイズ重畳有無判定部１８は、電源電圧Ｖｃｃに検出対象ノイズが重畳されたか否かを判断する。具体的には、ノイズ重畳有無判定部１８は、コンパレータ１６からの出力信号（基本的にはハイレベル信号）を監視する。そして、ノイズ重畳有無判定部１８は、コンパレータ１６からローレベル信号が入力されたときに（コンパレータ１６の出力がハイレベルからローレベルに反転したときに）、電源電圧Ｖｃｃに検出対象ノイズが重畳されたと判断する。ノイズ重畳有無判定部１８は、コンパレータ１６からの出力信号がハイレベルのまま一定のときに、電源電圧Ｖｃｃに検出対象ノイズが重畳されていないと判断する。ステップＳ２での判断が肯定されるとステップＳ３に移行し、否定されるとステップＳ１に戻る。
【００４３】
ステップＳ３では、通知部１９は、電源電圧Ｖｃｃに検出対象ノイズが重畳されたことを上記電気機器のオペレータに通知する。ステップＳ３が実行されると、フローは終了する。
【００４４】
つまり、動作例１（図４のフロー）は、ノイズ重畳有無判定部１８が電源電圧Ｖｃｃにノイズが重畳されたと判定するまで（ステップＳ２での判断が肯定されるまで）、又はオペレータが電源２６をオフにするまで繰り返し行われる。
【００４５】
［変形例］
上記実施の形態で説明したノイズ検出装置１０の構成及び動作は、適宜変更可能である。
【００４６】
（変形例１）
ノイズ検出装置１０の動作例１では、抵抗比Ｒｒ（Ｒ１／Ｒ３）が一定の値に設定されているが、ノイズ検出装置１０の変形例１の動作例である動作例２のように、抵抗比Ｒｒを変更しても良い。具体的には、動作例２では、図４に示される動作例１に対して、ステップＳ２でＮＯのときに、抵抗比Ｒｒを変更するステップであるステップＳ４が追加される。ステップＳ４では、抵抗値変更部２０は、第１抵抗２２及び第３抵抗２８の少なくとも一方の抵抗値を調整して、第３抵抗２８の抵抗値Ｒ３に対する第１抵抗２２の抵抗値Ｒ１の比Ｒｒ（Ｒ１／Ｒ３）を変更する。抵抗値変更部２０は、電圧値がより小さいノイズを検出しやすくするために、抵抗比Ｒｒ（Ｒ１／Ｒ３）を上げることが好ましい。これにより、検出対象ノイズの電圧値の下限値である所定値を下げることができる。すなわち、検出対象ノイズの電圧値の範囲をより低電圧側まで広げることができ、より小さなノイズも検出可能となる。ステップＳ４が実行されると、ステップＳ１に戻る。ステップＳ４が複数回行われるときの各回での抵抗比Ｒｒの上げ幅は、同じであっても良いし、異なっていても良い。なお、ステップＳ４を経由するループの回数を制限するために、変更可能な抵抗比Ｒｒの上限値を、適当な値に設定しておくことが好ましい。
【００４７】
（変形例２）
上記実施形態では、第１抵抗２２及び第３抵抗２８を電子可変抵抗としているが、第１抵抗２２及び第３抵抗２８の一方を電子可変抵抗とし、他方を固定抵抗としても良い。この場合でも、電子可変抵抗の抵抗値を変えることにより、抵抗比Ｒｒ（Ｒ１／Ｒ３）を変更することができる。
【００４８】
（変形例３）
図５に示される変形例３のノイズ検出装置１０Ａは、検出対象ノイズのノイズレベルＮＬと抵抗比Ｒｒ（Ｒ１／Ｒ３）との対応関係を表すノイズレベル／抵抗比テーブル５０を記憶する記憶部３４（例えばメモリ、ハードディスク等）を有している。さらに、ノイズ検出装置１０Ａは、記憶部３４に保存されたノイズレベル／抵抗比テーブル５０を用いて、電源電圧Ｖｃｃに重畳された検出対象ノイズの電圧値であるノイズレベルＮＬを取得するノイズレベル取得部（取得部）３６を有する。
【００４９】
上述のように、ノイズ検出装置１０は、第１電位Ｖｉｎ−＜第２電位Ｖｉｎ＋の場合に、抵抗比Ｒｒ（Ｒ１／Ｒ３）が大きいほど、より小さなノイズを検出することができる。つまり、ノイズレベルＮＬと抵抗比Ｒｒとの間には、１対１の対応関係がある。
【００５０】
図６には、一例として、１０個の抵抗比Ｒｒｋ（１≦ｋ≦１０、ｋが小さいほど抵抗比が大きい）と１０個のノイズレベルＮＬｋ（１≦ｋ≦１０、ｋが小さいほど、ノイズレベルが小さい）との対応関係を表すノイズレベル／抵抗比テーブル５０が示されている。ノイズレベル／抵抗比テーブル５０では、抵抗比Ｒｒｋ（ｋ＝１〜１０）とノイズレベルＮＬｋ（ｋ＝１〜１０）は、ｋが同じ数字のもの同士が対応している。
【００５１】
以下に、変形例３のノイズ検出装置１０Ａの動作について図７を参照して説明する。ここでは、ノイズ検出装置１０Ａが、第１電位Ｖｉｎ−＜第２電位Ｖｉｎ＋（コンパレータ１６の出力が基本的にハイレベル）、且つ、Ｒ１＞Ｒ３に設定される場合を例にとって説明する。ノイズ検出装置１０Ａの動作に先立って、第１抵抗２２と第３抵抗２８の抵抗比Ｒｒ（Ｒ１／Ｒ３）が、例えば１０個の抵抗比Ｒｒｋ（１≦ｋ≦１０、ｋが小さいほど抵抗比が大きい）のうち最小の抵抗比Ｒｒ１０に初期設定されている。ノイズ検出装置１０Ａの動作は、電源２６がオンになったときに開始される。電源２６のオン／オフは、上記電気機器のオペレータによるスイッチ操作で行われる。
【００５２】
次のステップＳ３２では、コンパレータ１６は、第１分圧点ＰＰ１の電位（第１電位Ｖｉｎ−）と第２分圧点ＰＰ２の電位（第２電位Ｖｉｎ＋）を比較し、その比較結果としての二値化信号（ハイレベル信号又はローレベル信号）をノイズ重畳有無判定部１８に出力する。
【００５３】
次のステップＳ３３では、ノイズ重畳有無判定部１８は、電源電圧Ｖｃｃに検出対象ノイズが重畳されたか否かを判断する。具体的には、ノイズ重畳有無判定部１８は、コンパレータ１６からの出力信号（基本的にはハイレベル信号）を監視する。そして、ノイズ重畳有無判定部１８は、コンパレータ１６からローレベル信号を受信したときに（コンパレータ１６の出力がハイレベルからローレベルに反転したときに）、電源電圧Ｖｃｃに検出対象ノイズが重畳されたと判断する。ステップＳ３３での判断が肯定されるとステップＳ３４に移行し、否定されるとステップＳ３６に移行する。
【００５４】
ステップＳ３４では、ノイズレベル取得部３６は、第１抵抗２２と第３抵抗２８の抵抗比Ｒｒｋ（Ｒ１／Ｒ３）に基づいて、ノイズレベルＮＬｋを取得する。具体的には、ノイズレベル取得部３６は、記憶部３４のノイズレベル／抵抗比テーブル５０（図６参照）を参照して、抵抗比Ｒｒｋに対応するノイズレベルＮＬｋを取得する。
【００５５】
次のステップＳ３５では、通知部１９は、電源電圧Ｖｃｃにノイズが重畳されたこと及び取得したノイズレベルＮＬｋを上記電気機器のオペレータに通知する。具体的には、通知部１９は、ノイズが重畳されたこと及び取得したノイズレベルＮＬｋを、例えば不図示のディスプレイ、ランプ等を用いて視覚情報として、又は例えば不図示のスピーカ等を用いて聴覚情報としてオペレータに通知する。オペレータは、この通知を受けて、例えばノイズレベルＮＬｋが上記電気機器の正常な動作に影響を与える程度の大きさである場合に電源電圧Ｖｃｃにノイズが重畳されるのを抑制する措置をとることができる。ステップＳ３５が実行されると、フローは終了する。
【００５６】
ステップＳ３６では、抵抗値変更部２０は、抵抗比Ｒｒｋ（Ｒ１／Ｒ３）を上げる。具体的には、抵抗値変更部２０は、第１抵抗２２及び第３抵抗２８の少なくとも一方の抵抗値を調整して、第１抵抗２２及び第３抵抗２８の抵抗比Ｒｒｋを上げる。詳述すると、抵抗値変更部２０は、抵抗比Ｒｒｋを抵抗比Ｒｒ（ｋ−１）に変更する（抵抗比Ｒｋを一段上げる）。ステップＳ３６が実行されると、ステップＳ３２に戻る。
【００５７】
つまり、ノイズ検出装置１０Ａの動作（図７のフロー）は、検出対象ノイズが重畳され該検出対象ノイズのノイズレベルＮＬｋが取得されるまで（ステップＳ３３でＹＥＳとなり、ステップＳ３４が実行されるまで）、又は抵抗比Ｒｒｋが最大の値Ｒｒ１に変更後検出対象ノイズが取得されなくなるときまで、又はオペレータによって電源２６がオフにされるまで繰り返し行われる。
【００５８】
（変形例４）
図８に示される変形例４のノイズ検出装置１０Ｂのように、第１抵抗２２、第２抵抗２４、第３抵抗２８及び第４抵抗３０のすべてを、電子可変抵抗（電子ボリューム）としても良い。ノイズ検出装置１０Ｂでは、抵抗値変更部２０は、第１抵抗２２、第２抵抗２４、第３抵抗２８及び第４抵抗３０の抵抗値を適宜変更する。以下に、ノイズ検出装置１０Ｂによるノイズ検出の原理について図９Ａ及び図９Ｂを参照して説明する。
【００５９】
図９Ａは、ノイズ検出装置１０Ｂが検出対象ノイズを検出できない例を説明するための図である。この例では、ノイズ検出装置１０Ｂは、電源２６の電源電圧Ｖｃｃが５Ｖ、第１抵抗２２の抵抗値Ｒ１が４．１ｋΩ、第２抵抗２４の抵抗値Ｒ２が４ｋΩ、第３抵抗２８の抵抗値Ｒ３が５．９ｋΩ、第４抵抗３０の抵抗値Ｒ４が６ｋΩに設定されている。このとき、第１電位Ｖｉｎ−は２．５３Ｖ、第２電位Ｖｉｎ＋は２．４８Ｖ（＜Ｖｉｎ−）となる（図９Ａ参照）。このとき、コンパレータ１６の出力は、基本的にローレベルとなる。ノイズ検出装置１０では、第２電位Ｖｉｎ＋と第１電位Ｖｉｎ−の差が小さい（ここでは０．０５Ｖ）が、第２電位Ｖｉｎ＋に対するノイズの重畳量（抵抗値Ｒ３に依存）は第１電位Ｖｉｎ−に対するノイズの重畳量（抵抗値Ｒ１に依存）に比べて僅かに大きい程度である。このため、ノイズ検出装置１０Ｂでは、この例において、検出対象ノイズが重畳されたときでも、第１電位Ｖｉｎ−と第２電位Ｖｉｎ＋の逆転は起こらず、コンパレータ１６の出力は、ローレベルのままとなる（反転しない）。
【００６０】
図９Ｂは、ノイズ検出装置１０Ｂが検出対象ノイズを検出できる例を説明するための図である。この例では、ノイズ検出装置１０Ｂは、電源２６の電源電圧Ｖｃｃが５Ｖ、第１抵抗２２の抵抗値Ｒ１が２ｋΩ、第２抵抗２４の抵抗値Ｒ２が２．１ｋΩ、第３抵抗２８の抵抗値Ｒ３が８ｋΩ、第４抵抗３０の抵抗値Ｒ４が６ｋΩに設定されている。このとき、第１電位Ｖｉｎ−は２．５２Ｖ、第２電位Ｖｉｎ＋は２．４４Ｖ（＜Ｖｉｎ−）となる（図９Ｂ参照）。このとき、コンパレータ１６の出力は、基本的にローレベルとなる。ノイズ検出装置１０では、第２電位Ｖｉｎ＋が第１電位Ｖｉｎ−に比べて僅かに大きく（ここでは０．０８Ｖ（第１所定値））、且つ、第２電位Ｖｉｎ＋に対するノイズの重畳量（抵抗値Ｒ３に依存）が第１電位Ｖｉｎ−に対するノイズの重畳量（抵抗値Ｒ１に依存）に比べて格段に大きい（抵抗比Ｒｒ＝Ｒ３／Ｒ１＝４（第２所定値））。このため、ノイズ検出装置１０Ｂでは、この例において、検出対象ノイズが重畳されたときに、第１電位Ｖｉｎ−と第２電位Ｖｉｎ＋の逆転が起き、逆転している間、コンパレータ１６の出力はハイレベルとなる（反転する）。この例では、第１分圧回路１１の分圧比（第１抵抗２２の抵抗値Ｒ１と第２抵抗２４の抵抗値Ｒ２の比）は、２：２．１である。第２分圧回路１３の分圧比（第３抵抗２８の抵抗値Ｒ３と第４抵抗３０の抵抗値Ｒ４の比）は、４：３である。
【００６１】
（変形例５）
第１抵抗２２及び第３抵抗２８を固定抵抗とし、第２抵抗２４及び第４抵抗３０を電子可変抵抗（電子ボリューム）としても良い。また、第１抵抗２２及び第３抵抗２８を固定抵抗とし、第２抵抗２４及び第４抵抗３０の一方を電子可変抵抗とし、他方を固定抵抗としても良い。
【００６２】
（変形例６）
第１抵抗２２、第２抵抗２４、第３抵抗２８及び第４抵抗３０のすべてを固定抵抗としても良い。この場合、抵抗値変更部２０は、不要となる。
【００６３】
（変形例７）
上記実施形態及び各変形例では、第１入力端子ＩＴ１が−入力端子とされ、且つ、第２入力端子ＩＴ２が＋入力端子とされているが、第１入力端子ＩＴ１を＋入力端子とし、且つ、第２入力端子ＩＴ２を−入力端子としても良い。
【００６４】
（変形例８）
上記実施形態及び各変形例では、第１分圧点ＰＰ１が第１入力端子ＩＴ１に接続され、且つ、第２分圧点ＰＰ２が第２入力端子ＩＴ２に接続されているが、第１分圧点ＰＰ１が第２入力端子ＩＴ２に接続され、且つ、第２分圧点ＰＰ２が第１入力端子ＩＴ１に接続されても良い。
【００６５】
（変形例９）
変形例１〜８を矛盾しない範囲内で任意に組み合わせても良い。
【００６６】
［実施の形態及び変形例１〜９から把握しうる発明］
［第１の発明］
第１の発明は、電源電圧（Ｖｃｃ）を分圧する第１分圧回路（１１）と、電源電圧（Ｖｃｃ）を分圧する第２分圧回路（１３）と、第１分圧回路（１１）の分圧点（ＰＰ１）の電位である第１電位（Ｖｉｎ−）と、第２分圧回路（１３）の分圧点（ＰＰ２）の電位である第２電位（Ｖｉｎ＋）とを比較するコンパレータ（１６）と、コンパレータ（１６）の出力に基づいて、電源電圧（Ｖｃｃ）に電圧値が所定値以上のノイズ（検出対象ノイズ）が重畳されたか否かを判定する判定部（１８）と、を備え、第１分圧回路（１１）の分圧比及び第２分圧回路（１３）の分圧比は、電源電圧（Ｖｃｃ）にノイズが重畳されていないときと重畳されているときとの間でコンパレータ（１６）の出力が反転するように設定される、ノイズ検出装置（１０、１０Ａ、１０Ｂ）である。
【００６７】
これにより、電源電圧（Ｖｃｃ）に検出対象ノイズが重畳されると、コンパレータ（１６）の出力が反転する。この反転によって、判定部（１８）は、電源電圧（Ｖｃｃ）に検出対象ノイズが重畳されていると判定できる。すなわち、第１の発明によれば、突発的なノイズでも検出できる。
【００６８】
第１電位（Ｖｉｎ−）と第２電位（Ｖｉｎ＋）との電位差は、第１所定値以下であっても良い。これにより、検出対象ノイズをより検出しやすくすることができる。
【００６９】
第１分圧回路（１１）は、直列に接続された第１抵抗（２２）及び第２抵抗（２４）を有し、第１抵抗（２２）の一端が接地され、且つ、第２抵抗（２４）の一端が電源（２６）に接続された第１直列接続体（１２）を含み、第２分圧回路（１３）は、直列に接続された第３抵抗（２８）及び第４抵抗（３０）を有し、第３抵抗（２８）の一端が接地され、且つ、第４抵抗（３０）の一端が電源（２６）に接続された第２直列接続体（１４）を含んでも良い。これにより、簡素な回路構成により、検出対象ノイズを検出できる。
【００７０】
電源電圧（Ｖｃｃ）に検出対象ノイズが重畳されていないときに第１電位（Ｖｉｎ−）が第２電位（Ｖｉｎ＋）より高くなるように第１抵抗（２２）、第２抵抗（２４）、第３抵抗（２８）及び第４抵抗（３０）の抵抗値が設定され、第３抵抗（２８）の抵抗値（Ｒ３）は、第１抵抗（２２）の抵抗値（Ｒ１）より大きく設定されても良い。これにより、検出対象ノイズをより検出しやすくすることができる。
【００７１】
電源電圧（Ｖｃｃ）に検出対象ノイズが重畳されていないときに第１電位（Ｖｉｎ−）が第２電位（Ｖｉｎ＋）より低くなるように第１抵抗（２２）、第２抵抗（２４）、第３抵抗（２８）及び第４抵抗（３０）の抵抗値が設定され、第３抵抗（２８）の抵抗値（Ｒ３）は、第１抵抗（２２）の抵抗値（Ｒ１）より小さく設定されても良い。これにより、検出対象ノイズをより検出しやすくすることができる。
【００７２】
第１抵抗（２２）の抵抗値（Ｒ１）及び第３抵抗（２８）の抵抗値（Ｒ３）のうち小さい方に対する大きい方の比率は、第２所定値以上であっても良い。これにより、検出対象ノイズをより検出しやすくすることができる。
【００７３】
第１抵抗（２２）、第２抵抗（２４）、第３抵抗（２８）及び第４抵抗（３０）の少なくとも１つは、可変抵抗であり、該可変抵抗の抵抗値を変更する抵抗値変更部（２０）を更に備えていても良い。これにより、第１電位（Ｖｉｎ−）、第２電位（Ｖｉｎ＋）、第１抵抗（２２）の抵抗値（Ｒ１）、第２抵抗値（２４）の抵抗値（Ｒ２）、第３抵抗（２８）の抵抗値（Ｒ３）、第４抵抗（３０）の抵抗値（Ｒ４）の設定の自由度を向上できる。
【００７４】
第１抵抗（２２）及び第３抵抗（２８）の少なくとも一方は、可変抵抗であり、第１抵抗（２２）及び第３抵抗（２８）の抵抗比（Ｒｒ）毎のノイズの電圧値がテーブル（５０）として保存された記憶部（３４）と、判定部（１８）で電源電圧（Ｖｃｃ）に検出対象ノイズが重畳されたと判定されたときの抵抗比（Ｒｒ）と、テーブル（５０）とから、該検出対象ノイズの電圧値（ＮＬ）を取得する取得部（３６）と、を更に備えていても良い。これにより、電源電圧（Ｖｃｃ）に重畳された検出対象ノイズの電圧値（ＮＬ）を取得することができる。このとき、オペレータは、取得された検出対象ノイズの電圧値（ＮＬ）に応じて、電源電圧（Ｖｃｃ）にノイズが重畳されるのを抑制する対策をとる必要があるか否かを決定することができる。
【００７５】
［第２の発明］
第２の発明は、電源電圧（Ｖｃｃ）を分圧する第１分圧回路（１１）の分圧点（ＰＰ１）の電位である第１電位（Ｖｉｎ−）と、電源電圧（Ｖｃｃ）を分圧する第２分圧回路（１３）の分圧点（ＰＰ２）の電位である第２電位（Ｖｉｎ＋）とを比較する第１比較ステップと、第１比較ステップでの比較結果に基づいて、電源電圧（Ｖｃｃ）に電圧値が所定値以上のノイズ（検出対象ノイズ）が重畳されたか否かを判定する第１判定ステップと、を含み、第１分圧回路（１１）の分圧比及び第２分圧回路（１３）の分圧比は、電源電圧（Ｖｃｃ）にノイズが重畳されていないときと重畳されているときとの間でコンパレータ（１６）の出力が反転するように設定される、ノイズ検出方法である。
【００７６】
これにより、電源電圧（Ｖｃｃ）に検出対象ノイズが重畳されると、コンパレータ（１６）の出力が反転する。この反転によって、判定部（１８）は、電源電圧（Ｖｃｃ）に検出対象ノイズが重畳されていると判定できる。すなわち、第２発明によれば、突発的なノイズでも検出できる。
【００７７】
第１電位（Ｖｉｎ−）と第２電位（Ｖｉｎ＋）との電位差は、第１所定値以下であっても良い。これにより、検出対象ノイズをより検出しやすくすることができる。
【００７８】
第１分圧回路（１１）は、直列に接続された第１抵抗（２２）及び第２抵抗（２４）を有し、第１抵抗（２２）の一端が接地され、且つ、第２抵抗（２４）の一端が電源（２６）に接続された第１直列接続体（１２）を含み、第２分圧回路（１３）は、直列に接続された第３抵抗（２８）及び第４抵抗（３０）を有し、第３抵抗（２８）の一端が接地され、且つ、第４抵抗（３０）の一端が電源（２６）に接続された第２直列接続体（１４）を含み、電源電圧（Ｖｃｃ）に検出対象ノイズが重畳されていないときに第１電位（Ｖｉｎ−）が第２電位（Ｖｉｎ＋）より高くなるように第１抵抗（２２）、第２抵抗（２４）、第３抵抗（２８）及び第４抵抗（３０）の抵抗値が設定され、第３抵抗（２８）の抵抗値（Ｒ３）は、第１抵抗（２２）の抵抗値（Ｒ１）より大きく設定されても良い。これにより、検出対象ノイズをより検出しやすくすることができる。
【００７９】
第１抵抗（２２）の抵抗値（Ｒ１）に対する第３抵抗（２８）の抵抗値（Ｒ３）の比率は、第２所定値以上であっても良い。これにより、検出対象ノイズをより検出しやすくすることができる。
【００８０】
第１抵抗（２２）及び第３抵抗（２８）の少なくとも一方は、可変抵抗であり、第２の発明のノイズ検出方法は、第１判定ステップで電源電圧（Ｖｃｃ）に検出対象ノイズが重畳されたと判定されたときの第１抵抗（２２）及び第３抵抗（２８）の抵抗比（Ｒｒ）と、第１抵抗（２２）及び第３抵抗（２８）の抵抗比（Ｒｒ）毎のノイズの電圧値（ＮＬ）を表すテーブル（５０）とから、ノイズの電圧値（ＮＬ）を取得する取得ステップを更に含んでも良い。これにより、電源電圧（Ｖｃｃ）に重畳された検出対象ノイズの電圧値（ＮＬ）を取得することができる。このとき、オペレータは、取得された検出対象ノイズの電圧値（ＮＬ）に応じて、電源電圧（Ｖｃｃ）にノイズが重畳されるのを抑制する対策をとる必要があるか否かを決定することができる。
【００８１】
第２の発明のノイズ検出方法は、第１抵抗（２２）及び第３抵抗（２８）の少なくとも一方は、可変抵抗であり、第１判定ステップで電源電圧（Ｖｃｃ）にノイズが重畳されていないと判定されたときに、可変抵抗の抵抗値を変更して所定値（検出対象ノイズの電圧値の下限値）を変更する抵抗値変更ステップと、抵抗値変更ステップの後に、第１電位（Ｖｉｎ−）と第２電位（Ｖｉｎ＋）とを比較する第２比較ステップと、第２比較ステップでの比較結果に基づいて、電源電圧（Ｖｃｃ）に変更後の所定値以上の電圧値のノイズが重畳されたか否かを判定する第２判定ステップと、を更に含んでいても良い。これにより、変更後の所定値以上の電圧値のノイズを検出することができる。すなわち、ノイズの検出漏れを抑制できる。
【００８２】
抵抗値変更ステップでは、第１抵抗（２２）の抵抗値（Ｒ１）に対する第３抵抗（２８）の抵抗値（Ｒ３）の比が大きくなるように可変抵抗の抵抗値を変更しても良い。これにより、検出対象ノイズをより検出しやすくなる。
【符号の説明】
【００８３】
１０、１０Ａ、１０Ｂ…ノイズ検出装置                １２…第１直列接続体
１４…第２直列接続体                                １６…コンパレータ
１８…ノイズ重畳有無判定部（判定部）                ２０…抵抗値変更部
２２…第１抵抗                                      ２４…第２抵抗
２６…電源                                          ２８…第３抵抗
３０…第４抵抗                                      ３４…記憶部
３６…ノイズレベル取得部（取得部）                  ＩＴ１…第１入力端子
ＩＴ２…第２入力端子                                ＰＰ１…第１分圧点
ＰＰ２…第２分圧点                                  Ｖｉｎ−…第１電位
Ｖｉｎ＋…第２電位
【図１】
2020053810.tif 000003
【図２】
2020053810.tif 000004
【図３】
2020053810.tif 000005
【図４】
2020053810.tif 000006
【図５】
2020053810.tif 000007
【図６】
2020053810.tif 000008
【図７】
2020053810.tif 000009
【図８】
2020053810.tif 000010
【図９】
2020053810.tif 000011